(57)【要約】【課題】送信電力を削減することができる基地局装置及び送信電力制御方法を提供すること。【解決手段】本発明の基地局装置１１０は、無線送信データを送信する送信装置１１３と、送信装置１１３の送信電力を制御する送信電力制御回路１１７と、移動機からの無線送信データを受信して受信データを生成する受信装置１１４と、前記受信データに含まれる再送要求を検出する再送検出回路１１５と、を具備する。送信電力制御回路１１７は、送信装置１１３の送信電力を送信開始の初期期間において予め決められた送信電力初期値から前記再送要求に応じて段階的に大きくし、かつ、再送検出回路１１５が前記再送要求を検出しなくなった時に前記送信電力の増大を停止する初期送信電力制御部１１７１を具備する。【選択図】      図１
2004328396.tif 000002
【特許請求の範囲】
【請求項１】
遅延プロファイルとパス選択用しきい値とを比較して受信レベルが前記パス選択用しきい値以上であるパスを選択するパス選択手段と、前記パス選択手段にて選択されたパスより受信信号のフェージング変動を補償して同期検波する同期検波手段と、前記同期検波手段により同期検波された既知信号の誤りビット数を検出する誤りビット数検出手段と、前記誤りビット数検出手段にて検出した前記誤りビット数と同期判定用しきい値との大小関係に基づいて同期保持状態または同期はずれ状態を判定する判定手段と、伝搬環境に応じて前記パス選択用しきい値または前記同期判定用しきい値を可変設定するしきい値設定手段と、を具備することを特徴とする同期判定装置。
【請求項２】
前記しきい値設定手段は、前記パス選択手段により選択したパス数が第１しきい値以上である場合には、前記パス数が前記第１しきい値未満である場合に比べて小さい値の前記同期判定用しきい値を設定し、前記判定手段は、前記誤りビット数検出手段により検出した前記誤りビット数が前記同期判定用しきい値以上の場合に同期はずれ状態と判定し、前記誤りビット数検出手段にて検出した前記誤りビット数が前記同期判定用しきい値未満の場合に同期保持状態と判定することを特徴とする請求項１記載の同期判定装置。
【請求項３】
前記しきい値設定手段は、受信品質を示す測定値が第２しきい値以上である場合には、前記測定値が前記第２しきい値未満である場合に比べて大きい値の前記同期判定用しきい値を設定し、前記判定手段は、前記誤りビット数検出手段により検出した前記誤りビット数が前記同期判定用しきい値以上の場合に同期はずれ状態と判定し、前記誤りビット数検出手段にて検出した前記誤りビット数が前記同期判定用しきい値未満の場合に同期保持状態と判定することを特徴とする請求項１記載の同期判定装置。
【請求項４】
前記しきい値設定手段は、前記パス選択手段により選択されたパス数が第１しきい値以上である場合には、前記パス数が前記第１しきい値未満である場合に比べて大きい値の第１同期判定用しきい値を設定し、前記判定手段は、前記誤りビット数が第２同期判定用しきい値未満になる連続回数が前記第１同期判定用しきい値以上の場合に同期保持状態と判定し、前記誤りビット数が前記第２同期判定用しきい値以上になった場合に同期はずれ状態と判定することを特徴とする請求項１記載の同期判定装置。
【請求項５】
前記しきい値設定手段は、受信品質を示す測定値が第２しきい値以上である場合には、前記測定値が前記第２しきい値未満である場合に比べて小さい値の第１同期判定用しきい値を設定し、前記判定手段は、前記誤りビット数が第２同期判定用しきい値未満になる連続回数が前記第１同期判定用しきい値以上の場合に同期保持状態と判定し、前記誤りビット数が前記第２同期判定用しきい値以上になった場合に同期はずれ状態と判定することを特徴とする請求項１記載の同期判定装置。
【請求項６】
前記しきい値設定手段は、前記パス選択手段により選択されたパス数が第１しきい値以上である場合には、前記パス数が前記第１しきい値未満である場合に比べて小さい値の第１同期判定用しきい値を設定し、前記判定手段は、前記誤りビット数が第２同期判定用しきい値以上になる連続回数が前記第１同期判定用しきい値以上の場合に同期はずれ状態と判定し、前記誤りビット数が前記第２同期判定用しきい値未満になった場合に同期保持状態と判定することを特徴とする請求項１記載の同期判定装置。
【請求項７】
前記しきい値設定手段は、受信品質を示す測定値が第２しきい値以上である場合には、前記測定値が前記第２しきい値未満である場合に比べて大きい値の第１同期判定用しきい値を設定し、前記判定手段は、前記誤りビット数が第２同期判定用しきい値以上になる連続回数が前記第１同期判定用しきい値以上の場合に同期はずれ状態と判定し、前記誤りビット数が前記第２同期判定用しきい値未満になった場合に同期保持状態と判定することを特徴とする請求項１記載の同期判定装置。
【請求項８】
前記しきい値設定手段は、前記判定手段にて同期はずれ状態と判定された場合には同期保持状態と判定された場合に比べて大きな値の前記パス選択用しきい値を設定することを特徴とする請求項１から請求項７のいずれかに記載の同期判定装置。
【請求項９】
請求項１から請求項８のいずれかに記載の同期判定装置を具備することを特徴とする受信装置。
【請求項１０】
同期検波された既知信号の誤りビット数を検出するステップと、遅延プロファイルとパス選択用しきい値とを比較して受信レベルが前記パス選択用しきい値以上であるパスを選択するステップと、選択したパス数がしきい値以上である場合には、前記パス数が前記しきい値未満である場合に比べて小さい値の同期判定用しきい値を設定するステップと、前記誤りビット数が前記同期判定用しきい値以上の場合に同期はずれ状態と判定し、前記誤りビット数が前記同期判定用しきい値未満の場合に同期保持状態と判定するステップと、を具備することを特徴とする同期判定方法。
【発明の詳細な説明】
【０００１】
【発明の属する技術分野】
本発明は、同期判定装置及び同期判定方法に関し、例えば受信信号を同期検波してＲＡＫＥ合成した後の誤りビット数に応じて、同期保持状態と同期はずれ状態を判定する同期判定装置及び同期判定方法に関する。
【０００２】
【従来の技術】
従来、ＤＳ−ＣＤＭＡ受信装置では、所定のタイミング（同期保持状態）で受信信号に拡散符号を乗算して、拡散前の信号を復元する必要があるため、拡散符号と受信信号との同期を保持する必要がある。同期保持状態であれば、受信側の拡散符号と受信信号との同期タイミングを検出する同期タイミング検出処理は、同期捕捉処理（完全に非同期な状態から同期タイミングを探し出す処理）から同期追従処理（同期タイミングを保持し、さらに細かい精度で同期タイミングを微調整する処理）へと移る。また同期はずれ状態であれば、同期捕捉処理を続けるように動作する。
【０００３】
同期判定が正しく行われず、真の同期タイミングにもかかわらず同期はずれ状態と判定されれば、同期捕捉処理から同期追従処理に移れず、精度良くデータ復調を行うことができなくなる。また、真の同期タイミングでないにもかかわらず同期保持状態と判定されれば、データは正しく復調することができなくなる。このため、同期判定装置により精度の良い同期判定を行うことは不可欠である。
【０００４】
次に、ＣＤＭＡ通信において、同期判定装置を用いて同期判定を行う手順について説明する。受信機がＲＡＫＥ合成受信を行う場合においては、受信機は、受信信号より複数のパスを検出し、受信信号より測定した遅延プロファイルに基づいて、所定のしきい値以上のパスを選択してパスの割り当てを行う。
【０００５】
次に、選択したパスに含まれる既知信号であるパイロット信号とパイロット信号の期待値との位相差より求めた位相変化量を用いて同期検波を行う。
【０００６】
次に、同期検波後にＲＡＫＥ合成及び硬判定したパイロット信号とパイロット信号の期待値とを比較することにより誤りビット数を検出し、検出した誤りビット数の大小により同期判定を行う（例えば、特許文献１参照。）。
【０００７】
【特許文献１】
特開平６−３５０５８９号公報
【０００８】
【発明が解決しようとする課題】
しかしながら、従来の同期判定装置においては、ＲＡＫＥ合成の際に同期部のＦｉｎｇｅｒ割り当てのしきい値が低くかつ割当てＦｉｎｇｅｒ数が多い場合、雑音のみが受信されてもＲＡＫＥ合成後の受信パイロットシンボルの誤りビット数は、真に希望波信号が同期保持された状態での誤りビット数と変わらないほど小さくなり、本来、同期判定結果が同期はずれにならなければいけないものが同期保持となってしまうことにより、誤同期が生じるという問題がある。
【０００９】
この誤同期が起こる理由として、下記に示す２つの同期検波の特性が関与していると考えられる。
１）同期検波は、チャネル推定値を算出する短区間内の受信パイロットシンボルが所定のパイロットシンボルパターンに最も近くなるようにチャネル変動量を調節する。つまり、Ｆｉｎｇｅｒ割り当てが正しくても誤っていても、同期検波により受信パイロットシンボルの誤りビット数が最も少なくなるようにチャネル変動量が調整される。
２）雑音は長時間でみれば一様分布であるが、短区間（スロット単位）で見ればある程度の偏りを持つ。この偏りが大きいほどチャネル推定値の大きさは大きくなり、同期検波後の相関信号の値も大きくなる。
【００１０】
上記１）、２）のように同期検波した複数のＦｉｎｇｅｒをＲＡＫＥ合成すると、たまたま偏りが大きいＦｉｎｇｅｒの影響を受け、ＲＡＫＥ合成後は、より受信パイロットシンボルの誤りが少なくなる方向に作用する。つまり、受信時に誤りビット数が同期はずれと判定されるほどの値であっても同期検波やＲＡＫＥ合成の際に、誤りビット数が減少してしまい、同期はずれと判定されるべき受信信号が同期保持と判定される誤同期が生じる。
【００１１】
ここで、図１５に計算装置シミュレーションで取得した希望波受信信号が全くない雑音のみを受信したときのＦｉｎｇｅｒ毎、ＲＡＫＥ合成後の受信パイロットシンボル系列を示す。図１５は、横軸が時間［パイロットビット単位］で縦軸が相関値の大きさであり、８Ｆｉｎｇｅｒ分の受信パイロットシンボル系列とＲＡＫＥ合成後の受信パイロットシンボル系列と既知であるパイロットビットパターンが示されている。図１５を見ると、前記１）、２）の内容や、ＲＡＫＥ合成後の受信パイロットシンボルを硬判定し、所定のパイロットビットパターンとビット照合すると、誤りがかなり少なくなってしまうことがわかる。シミュレーション結果によれば、チャネル推定値算出の平均区間が０．６スロット平均で、Ｆｉｎｇｅｒ数が８のとき、雑音のみを受信した場合の各Ｆｉｎｇｅｒの受信パイロットシンボル誤り率は２７％であり、ＲＡＫＥ合成後受信パイロットシンボルの誤り率は６％と、ＲＡＫＥ合成後の誤り率は、雑音を受信したにもかかわらず非常に小さくなった。この誤り率６％という値は、正確な同期保持状態での誤り率と同等の値であり、許容ビット数を下回ってしまい、誤同期となってしまう。
【００１２】
本発明はかかる点に鑑みてなされたものであり、精度良く正確に同期保持状態であるか否かの判定を行うことにより誤同期となることを防止することができる同期判定装置及び同期判定方法を提供することを目的とする。
【００１３】
【課題を解決するための手段】
本発明の同期判定装置は、遅延プロファイルとパス選択用しきい値とを比較して受信レベルが前記パス選択用しきい値以上であるパスを選択するパス選択手段と、前記パス選択手段にて選択されたパスより受信信号のフェージング変動を補償して同期検波する同期検波手段と、前記同期検波手段により同期検波された既知信号の誤りビット数を検出する誤りビット数検出手段と、前記誤りビット数検出手段にて検出した前記誤りビット数と同期判定用しきい値との大小関係に基づいて同期保持状態または同期はずれ状態を判定する判定手段と、伝搬環境に応じて前記パス選択用しきい値または前記同期判定用しきい値を可変設定するしきい値設定手段と、を具備する構成を採る。
【００１４】
この構成によれば、伝搬環境を示す受信品質情報または同期保持状態か否かの情報に応じて同期判定用しきい値を可変設定するので、例えば雑音のみを受信してＲＡＫＥ合成したような場合において、誤りビット数が小さくなった場合においても、同期はずれ状態と判定することができる。また、伝搬環境を示す受信品質情報または同期保持状態か否かの情報に応じて有効パスを選択するためのパス選択用しきい値を可変設定するので、例えば雑音のみを受信してＲＡＫＥ合成したような場合において、選択される有効パスの数を少なくすることでフィンガに割り当てられるパス数を少なくすることができ、これに伴って誤りビット数が多くなるので同期はずれ状態と判定することができる。これにより、精度良く正確に同期保持状態であるか否かの判定を行うことができるので、誤同期となることを防止することができる。
【００１５】
本発明の同期判定装置は、前記構成において、前記しきい値設定手段は、前記パス選択手段により選択したパス数が第１しきい値以上である場合には、前記パス数が前記第１しきい値未満である場合に比べて小さい値の前記同期判定用しきい値を設定し、前記判定手段は、前記誤りビット数検出手段により検出した前記誤りビット数が前記同期判定用しきい値以上の場合に同期はずれ状態と判定し、前記誤りビット数検出手段にて検出した前記誤りビット数が前記同期判定用しきい値未満の場合に同期保持状態と判定する構成を採る。
【００１６】
この構成によれば、前記効果に加えて、選択されるパス数が多い場合には同期判定用しきい値を小さい値に設定するので、例えば雑音のみを受信してＲＡＫＥ合成したような場合において、誤りビット数が比較的小さい場合においても同期はずれ状態と判定することができる。
【００１７】
本発明の同期判定装置は、前記構成において、前記しきい値設定手段は、受信品質を示す測定値が第２しきい値以上である場合には、前記測定値が前記第２しきい値未満である場合に比べて大きい値の前記同期判定用しきい値を設定し、前記判定手段は、前記誤りビット数検出手段により検出した前記誤りビット数が前記同期判定用しきい値以上の場合に同期はずれ状態と判定し、前記誤りビット数検出手段にて検出した前記誤りビット数が前記同期判定用しきい値未満の場合に同期保持状態と判定する構成を採る。
【００１８】
この構成によれば、前記効果に加えて、受信品質が劣化している場合には同期判定用しきい値を小さい値に設定するので、例えば雑音のみを受信してＲＡＫＥ合成したような場合において、誤りビット数が比較的小さい場合においても同期はずれ状態と判定することができる。
【００１９】
本発明の同期判定装置は、前記構成において、前記しきい値設定手段は、前記パス選択手段により選択されたパス数が第１しきい値以上である場合には、前記パス数が前記第１しきい値未満である場合に比べて大きい値の第１同期判定用しきい値を設定し、前記判定手段は、前記誤りビット数が第２同期判定用しきい値未満になる連続回数が前記第１同期判定用しきい値以上の場合に同期保持状態と判定し、前記誤りビット数が前記第２同期判定用しきい値以上になった場合に同期はずれ状態と判定する構成を採る。
【００２０】
この構成によれば、前記効果に加えて、誤りビット数が第２同期判定用しきい値未満になる連続回数が第１同期判定用しきい値以上となる場合に同期保持状態と判定する後方保護を用いるとともに、後方保護段数を選択されたパス数に応じて変化させるので、例えば受信品質が劣悪な環境において、瞬間的に雑音が減少する場合であって同期はずれ状態と判定しなければいけない場合に同期保持状態と誤判定してしまうことを確実に防止することができる。
【００２１】
本発明の同期判定装置は、前記構成において、前記しきい値設定手段は、受信品質を示す測定値が第２しきい値以上である場合には、前記測定値が前記第２しきい値未満である場合に比べて小さい値の第１同期判定用しきい値を設定し、前記判定手段は、前記誤りビット数が第２同期判定用しきい値未満になる連続回数が前記第１同期判定用しきい値以上の場合に同期保持状態と判定し、前記誤りビット数が前記第２同期判定用しきい値以上になった場合に同期はずれ状態と判定する構成を採る。
【００２２】
この構成によれば、前記効果に加えて、誤りビット数が第２同期判定用しきい値未満になる連続回数が第１同期判定用しきい値以上となる場合に同期保持状態と判定する後方保護を用いるとともに、後方保護段数を受信品質に応じて変化させるので、例えば受信品質が劣悪な環境において、瞬間的に雑音が減少する場合であって同期はずれ状態と判定しなければいけない場合に同期保持状態と誤判定してしまうことを確実に防止することができる。
【００２３】
本発明の同期判定装置は、前記構成において、前記しきい値設定手段は、前記パス選択手段により選択されたパス数が第１しきい値以上である場合には、前記パス数が前記第１しきい値未満である場合に比べて小さい値の第１同期判定用しきい値を設定し、前記判定手段は、前記誤りビット数が第２同期判定用しきい値以上になる連続回数が前記第１同期判定用しきい値以上の場合に同期はずれ状態と判定し、前記誤りビット数が前記第２同期判定用しきい値未満になった場合に同期保持状態と判定する構成を採る。
【００２４】
この構成によれば、前記効果に加えて、誤りビット数が前記第２同期判定用しきい値以上になる連続回数が第１同期判定用しきい値以上の場合に同期はずれ状態と判定する前方保護を用いるとともに、前方保護段数を選択されたパス数に応じて変化させるので、例えば瞬間的に雑音が発生した場合であって同期保持状態と判定しても良い場合に同期はずれ状態と誤判定してしまうことを確実に防止することができる。
【００２５】
本発明の同期判定装置は、前記構成において、前記しきい値設定手段は、受信品質を示す測定値が第２しきい値以上である場合には、前記測定値が前記第２しきい値未満である場合に比べて大きい値の第１同期判定用しきい値を設定し、前記判定手段は、前記誤りビット数が第２同期判定用しきい値以上になる連続回数が前記第１同期判定用しきい値以上の場合に同期はずれ状態と判定し、前記誤りビット数が前記第２同期判定用しきい値未満になった場合に同期保持状態と判定する構成を採る。
【００２６】
この構成によれば、前記効果に加えて、誤りビット数が前記第２同期判定用しきい値以上になる連続回数が第１同期判定用しきい値以上の場合に同期はずれ状態と判定する前方保護を用いるとともに、前方保護段数を受信品質に応じて変化させるので、例えば瞬間的に雑音が発生した場合であって同期保持状態と判定しても良い場合に同期はずれ状態と誤判定してしまうことを確実に防止することができる。
【００２７】
本発明の同期判定装置は、前記構成において、前記しきい値設定手段は、前記判定手段にて同期はずれ状態と判定された場合には同期保持状態と判定された場合に比べて大きな値の前記パス選択用しきい値を設定する構成を採る。
【００２８】
この構成によれば、前記効果に加えて、同期はずれ状態と判定された場合には、遅延プロファイルと比較するパス選択用しきい値を、同期保持状態と判定された場合に比べて大きな値に設定するので、雑音がフィンガに割り当てられて誤りビット数が少なくなることを防ぐことができて、同期はずれ状態の場合に誤って同期保持状態と誤判定することを防止することができる。
【００２９】
本発明の受信装置は、上記いずれかに記載の同期判定装置を具備する構成を採る。
【００３０】
この構成によれば、伝搬環境を示す受信品質情報または同期保持状態か否かの情報に応じて同期判定用しきい値を可変設定するので、例えば雑音のみを受信してＲＡＫＥ合成したような場合において、パス選択用しきい値が小さい値に設定されることにより選択されるパス数が多くなってフィンガに割り当てられるパス数が多くなり、これに伴って誤りビット数が小さくなった場合においても、同期はずれ状態と判定することができる。また、伝搬環境を示す受信品質情報または同期保持状態か否かの情報に応じて有効パスを選択するためのパス選択用しきい値を可変設定するので、例えば雑音のみを受信してＲＡＫＥ合成したような場合において、選択される有効パスの数を少なくすることでフィンガに割り当てられるパス数を少なくすることができ、これに伴って誤りビット数が多くなるので同期はずれ状態と判定することができる。これにより、精度良く正確に同期保持状態であるか否かの判定を行うことができるので、誤同期となることを防止することができるとともに、誤同期の少ない受信装置を提供することができる。
【００３１】
本発明の同期判定方法は、同期検波された既知信号の誤りビット数を検出するステップと、遅延プロファイルとパス選択用しきい値とを比較して受信レベルが前記パス選択用しきい値以上であるパスを選択するステップと、選択したパス数がしきい値以上である場合には、前記パス数が前記しきい値未満である場合に比べて小さい値の同期判定用しきい値を設定するステップと、前記誤りビット数が前記同期判定用しきい値以上の場合に同期はずれ状態と判定し、前記誤りビット数が前記同期判定用しきい値未満の場合に同期保持状態と判定するステップと、を具備するようにした。
【００３２】
この方法によれば、選択した有効パスの数がしきい値以上の場合には、誤りビット数と比較する同期判定用しきい値を大きな値に設定するので、例えば雑音のみを受信してＲＡＫＥ合成したような場合において、誤りビット数が比較的小さい場合においても同期はずれ状態と判定することができて、精度良く正確に同期保持状態であるか否かの判定を行うことにより誤同期となることを防止することができる。
【００３３】
【発明の実施の形態】
本発明の骨子は、遅延プロファイルより選択した受信レベルが所定値以上であるパス数が多い場合には誤りビット数と比較するしきい値を小さい値に設定し、パス数が少ない場合には誤りビット数と比較するしきい値を大きい値に設定し、誤りビット数が設定したしきい値以上の場合は同期はずれ状態と判定し、誤りビット数が設定したしきい値未満の場合は同期保持状態と判定することである。
【００３４】
以下、本発明の実施の形態について、図面を参照して詳細に説明する。
【００３５】
（実施の形態１）
図１は、本実施の形態１に係る同期判定装置１００の構成を示す図である。
【００３６】
マッチドフィルタ１０２は、受信開始時及び受信開始後の所定の周期で受信アンテナ１０１にて受信された受信信号がとりうる範囲での全位相の受信信号と拡散コードとの相関をとって遅延プロファイルを作成する。そして、マッチドフィルタ１０２は、作成した遅延プロファイルをパス選択部１０３へ出力する。
【００３７】
パス選択部１０３は、マッチドフィルタ１０２から入力した遅延プロファイルから有効なパス位相を判定して有効なパスを選択し、選択した有効パス情報を逆拡散部１０５としきい値設定部１０４へ出力する。パス選択部１０３は、遅延プロファイルのピーク値（受信レベル）がパス選択用のしきい値以上であるパスを有効なパスとして選択する。
【００３８】
しきい値設定部１０４は、パス選択部１０３から入力した有効パス情報より、有効パス数としきい値（第１しきい値）とを比較することにより、有効パス数がしきい値以上である場合には、有効パス数がしきい値未満である場合に比べて、後述する同期ずれ判定部１１０にて誤りビット数と比較するしきい値（同期判定用しきい値）を小さい値に設定する。そして、しきい値設定部１０４は、設定したしきい値情報を同期ずれ判定部１１０へ出力する。なお、しきい値の設定方法は、小さいしきい値と大きいしきい値との２種類のみを設定する場合に限らず、有効パス数が多い程しきい値が小さくなるようにしても良い。この場合には、しきい値設定部１０４は、パス選択部１０３から入力した有効パス情報を用いて有効パス数としきい値との参照テーブルを参照することによりしきい値を設定するか、またはパス選択部１０３から入力した有効パス情報を用いて有効パス数としきい値とを関係づけた計算式等により求めたしきい値を設定するようにしても良い。
【００３９】
逆拡散部１０５は、パス選択部１０３から入力した有効パス情報に基づいて、アンテナ１０１にて受信した受信信号を逆拡散する。
【００４０】
チャネル推定部１０６は、逆拡散部１０５から入力した逆拡散された受信信号に含まれるパイロット信号（既知信号）とパイロット信号の期待値との位相差を検出することにより、受信信号の位相変化量を算出して同期検波部１０７へ出力する。
【００４１】
同期検波部１０７は、チャネル推定部１０６から入力した位相変化量を用いて、逆拡散部１０５から入力した逆拡散された受信信号を補償することにより、パス選択部１０３にて選択した全てのパスについてパス毎に同期検波を行う。そして、同期検波部１０７は、各パスの同期検波結果をＲＡＫＥ合成部１０８へ出力する。
【００４２】
ＲＡＫＥ合成部１０８は、同期検波部１０７から入力した各パスの同期検波結果を加算することによりＲＡＫＥ合成を行って誤りビット数検出部１０９へ出力する。
【００４３】
誤りビット数検出部１０９は、ＲＡＫＥ合成部１０８から入力したＲＡＫＥ合成されたパイロット信号から誤ったビット数を算出して同期ずれ判定部１１０へ出力する。誤りビット数検出部１０９は、送受信間で既知であるパイロット信号のパターンをあらかじめ記憶しており、記憶しているパイロット信号のパターンと受信信号に含まれているパイロット信号のパターンとをビット単位で比較することにより誤りビット数を検出する。
【００４４】
判定手段である同期ずれ判定部１１０は、誤りビット数検出部１０９から入力した誤りビット数としきい値設定部１０４から入力したしきい値情報とを比較することにより同期保持状態または同期はずれ状態を判定して、判定した結果を出力する。即ち、同期ずれ判定部１１０は、誤りビット数がしきい値以上の場合には同期はずれ状態と判定し、誤りビット数がしきい値未満の場合には同期保持状態と判定する。
【００４５】
次に、同期判定装置１００の動作について、図２を用いて説明する。
【００４６】
最初に、マッチドフィルタ１０２は受信信号より遅延プロファイルを作成する（ステップＳＴ２０１）。
【００４７】
次に、パス選択部１０３は、遅延プロファイルを用いて有効パスを選択する（ステップＳＴ２０２）。
【００４８】
次に、しきい値設定部１０４は、有効パス数が４以上か否かを判定する（ステップＳＴ２０３）。なお、有効パス数と比較する数値は４に限らず、４以外の数値であっても良い。
【００４９】
有効パス数が４以上である場合は、しきい値α（例えば、誤り許容ビット数が１３）を設定する（ステップＳＴ２０４）。
【００５０】
一方、有効パス数が４未満である場合は、しきい値β（例えば、誤り許容ビット数が１８）（ただし、α＜βとする。）を設定する（ステップＳＴ２０５）。
【００５１】
次に、しきい値αを設定した場合には、誤りビット数検出部１０９にて検出した誤りビット数がしきい値α以上であるか否かを判定し、しきい値βを設定した場合には、誤りビット数検出部１０９にて検出した誤りビット数がしきい値β以上であるか否かを判定する（ステップＳＴ２０６）。
【００５２】
誤りビット数がしきい値α未満である場合または誤りビット数がしきい値β未満である場合は、同期保持状態と判定する（ステップＳＴ２０７）。一方、誤りビット数がしきい値α以上である場合または誤りビット数がしきい値β以上である場合は、同期はずれ状態と判定する（ステップＳＴ２０８）。
【００５３】
そして、同期判定装置１００は、各フレームについて、ステップＳＴ２０１〜ステップＳＴ２０８の処理を行う。
【００５４】
このように、本実施の形態１によれば、有効パス数が多い場合において、誤りビット数と比較するしきい値αは、有効パス数が少ない場合のしきい値βよりも小さい値に設定されることにより、誤りビット数が比較的小さい場合においても同期はずれ状態と判定するので、雑音のみを受信してＲＡＫＥ合成したような場合等において、精度良く正確に同期保持状態であるか否かの判定を行うことにより誤同期となることを防止することができる。
【００５５】
（実施の形態２）
図３は、本実施の形態２に係る同期判定装置３００の構成を示す図である。同期判定装置３００は、図１に示す実施の形態１に係る同期判定装置１００において、後方保護段数設定部３０１及び後方保護部３０２を追加し、同期ずれ判定部１１０の代わりに同期ずれ判定部３０３を有する。なお、図３において、図１と同一構成である部分には同一の符号を付してその説明は省略する。
【００５６】
しきい値設定手段である後方保護段数設定部３０１は、パス選択部１０３から入力した有効パス情報より、後方保護段数を設定する。ここで、後方保護とは、所定の回数（後方保護段数）分連続して誤りビット数がしきい値未満にならない限り同期保持状態であると判定しないことをいう。例えば、後方保護段数が「１０」の場合、誤りビット数がしきい値以下であるとの判定が連続して１０回行われた場合に同期保持状態の判定結果を出力するものである。したがって、後方保護段数設定部３０１は、有効パス情報より有効パス数がしきい値（第１しきい値）以上の場合には大きい後方保護段数（第１同期判定用しきい値）を設定し、有効パス数がしきい値未満の場合には小さい後方保護段数を設定する。そして、後方保護段数設定部３０１は、設定した後方保護段数情報を後方保護部３０２へ出力する。なお、後方保護段数の設定方法は、小さい後方保護段数と大きい後方保護段数との２種類のみを設定する場合に限らず、有効パス数が多い程後方保護段数が小さくなるようにしても良い。この場合には、後方保護段数設定部３０１は、パス選択部１０３から入力した有効パス情報を用いて有効パス数と後方保護段数との参照テーブルを参照することにより後方保護段数を設定するか、またはパス選択部１０３から入力した有効パス情報を用いて有効パス数と後方保護段数とを関係づけた計算式等により求めた後方保護段数を設定するようにしても良い。
【００５７】
後方保護部３０２は、誤りビット数検出部１０９から入力した誤りビット数情報に基づいて、誤りビット数としきい値（第２同期判定用しきい値）とを比較し、比較結果に後方保護をかけることにより後方保護をクリアしたか否かの情報を同期ずれ判定部３０３へ出力する。即ち、後方保護部３０２は、誤りビット数がしきい値未満である状態が後方保護段数設定部３０１にて設定された後方保護段数起こった場合に後方保護をクリアした旨の情報を同期ずれ判定部３０３へ出力する。一方、後方保護部３０２は、誤りビット数が所定のしきい値未満である状態が後方保護段数設定部３０１にて設定された後方保護段数未満の場合に後方保護をクリアしていない旨の情報を同期ずれ判定部３０３へ出力する。
【００５８】
同期ずれ判定部３０３は、後方保護部３０２から後方保護をクリアした旨の情報が入力した場合には、同期保持状態との判定結果を出力し、後方保護をクリアしていない旨の情報が入力した場合には、同期はずれ状態の判定結果を出力する。
【００５９】
次に、同期判定装置３００の動作について、図４を用いて説明する。
【００６０】
最初に、マッチドフィルタ１０２は受信信号より遅延プロファイルを作成する（ステップＳＴ４０１）。
【００６１】
次に、パス選択部１０３は、遅延プロファイルを用いて有効パスを選択する（ステップＳＴ４０２）。
【００６２】
次に、後方保護段数設定部３０１は、有効パス数が４以上か否かを判定する（ステップＳＴ４０３）。なお、有効パス数と比較する数値は４に限らず、４以外の数値であっても良い。
【００６３】
有効パス数が４以上である場合は、後方保護段数α（例えば、１０段）を設定する（ステップＳＴ４０４）。
【００６４】
一方、有効パス数が４未満である場合は、後方保護段数β（例えば、８段）（ただし、α＞βとする。）を設定する（ステップＳＴ４０５）。
【００６５】
次に、しきい値αを設定した場合には、後方保護部３０２は、後方保護段数αをクリアしたか否かを判定し、しきい値βを設定した場合には、後方保護部３０２は、後方保護部βをクリアしたか否かを判定する（ステップＳＴ４０６）。
【００６６】
後方保護段数をクリアしている場合には、同期ずれ判定部３０３は、同期保持状態と判定する（ステップＳＴ４０７）。
【００６７】
一方、後方保護段数をクリアしていない場合には、同期ずれ判定部３０３は、同期はずれ状態と判定する（ステップＳＴ４０８）。
【００６８】
そして、同期判定装置３００は、各フレームについて、ステップＳＴ４０１〜ステップＳＴ４０８の処理を行う。
【００６９】
このように、本実施の形態２によれば、上記実施の形態１の効果に加えて、選択したパス数に応じて後方保護段数を変えるので、パス数が少ない場合には早く同期を確立することができ、パス数が多い場合には誤って同期確立と判定することを防ぐことができる。
【００７０】
なお、本実施の形態２は、上記実施の形態１に適用することが可能である。
【００７１】
（実施の形態３）
図５は、本実施の形態３に係る同期判定装置５００の構成を示す図である。
【００７２】
同期判定装置５００は、図１に示す実施の形態１に係る同期判定装置１００において、前方保護段数設定部５０１及び前方保護部５０２を追加し、同期ずれ判定部１１０の代わりに同期ずれ判定部５０３を有する。なお、図５において、図１と同一構成である部分には同一の符号を付してその説明は省略する。
【００７３】
しきい値設定手段である前方保護段数設定部５０１は、パス選択部１０３から入力した有効パス情報より、前方保護段数を設定する。ここで、前方保護とは、所定の回数（前方保護段数）分連続して誤りビット数がしきい値以上にならない限り同期はずれ状態と判定しないことをいう。例えば、前方保護段数が「１０」の場合、誤りビット数がしきい値以上であるとの判定が連続して１０回行われた場合に同期はずれ状態の判定結果を出力するものである。したがって、前方保護段数設定部５０１は、有効パス情報より有効パス数がしきい値（第１しきい値）以上の場合には小さい前方保護段数（第１同期判定用しきい値）を設定し、有効パス数がしきい値未満の場合には大きい前方保護段数を設定する。そして、前方保護段数設定部５０１は、設定した前方保護段数情報を前方保護部５０２へ出力する。なお、前方保護段数の設定方法は、小さい前方保護段数と大きい前方保護段数との２種類のみを設定する場合に限らず、有効パス数が多い程前方保護段数が小さくなるように、パス選択部１０３から入力した有効パス情報を用いて有効パス数と前方保護段数との参照テーブルを参照することにより前方保護段数を設定するか、またはパス選択部１０３から入力した有効パス情報を用いて有効パス数と前方保護段数とを関係づけた計算式等により求めた前方保護段数を設定するようにしても良い。
【００７４】
前方保護部５０２は、誤りビット数検出部１０９から入力した誤りビット数情報に基づいて、誤りビット数としきい値（第２同期判定用しきい値）とを比較し、比較結果に前方保護をかけることにより前方保護をクリアしたか否かの情報を同期ずれ判定部５０３へ出力する。即ち、前方保護部５０２は、誤りビット数がしきい値以上である状態が前方保護段数設定部５０１にて設定された前方保護段数起こった場合に前方保護をクリアした旨の情報を同期ずれ判定部５０３へ出力する。一方、前方保護部５０２は、誤りビット数がしきい値以上である状態が前方保護段数設定部５０１にて設定された前方保護段数未満の場合に前方保護をクリアしていない旨の情報を同期ずれ判定部５０３へ出力する。
【００７５】
同期ずれ判定部５０３は、前方保護部５０２より前方保護をクリアした旨の情報が入力した場合には、同期はずれ状態との判定結果を出力し、前方保護部５０２より前方保護をクリアしていない旨の情報が入力した場合には、同期保持状態の判定結果を出力する。
【００７６】
次に、同期判定装置５００の動作について、図６を用いて説明する。
【００７７】
最初に、マッチドフィルタ１０２は受信信号より遅延プロファイルを作成する（ステップＳＴ６０１）。
【００７８】
次に、パス選択部１０３は、遅延プロファイルを用いて有効パスを選択する（ステップＳＴ６０２）。
【００７９】
次に、前方保護段数設定部５０１は、有効パス数が４以上か否かを判定する（ステップＳＴ６０３）。なお、有効パス数と比較する数値は４に限らず、４以外の数値であっても良い。
【００８０】
有効パス数が４以上である場合は、前方保護段数α（例えば、８段）を設定する（ステップＳＴ６０４）。
【００８１】
一方、有効パス数が４未満である場合は、前方保護段数β（例えば、１０段）（ただし、α＜βとする。）を設定する（ステップＳＴ６０５）。
【００８２】
次に、前方保護段数αを設定した場合には、前方保護部５０２にて前方保護段数αをクリアしたか否かを判定し、前方保護段数βを設定した場合には、前方保護部５０２にて前方保護段数βをクリアしたか否かを判定する（ステップＳＴ６０６）。
【００８３】
前方保護段数をクリアしている場合には、同期ずれ判定部５０３は、同期はずれ状態と判定する（ステップＳＴ６０７）。
【００８４】
一方、前方保護段数をクリアしていない場合には、同期ずれ判定部５０３は、同期保持状態と判定する（ステップＳＴ６０８）。
【００８５】
そして、同期判定装置５００は、各フレームについて、ステップＳＴ６０１〜ステップＳＴ６０８の処理を行う。
【００８６】
このように、本実施の形態３によれば、上記実施の形態１の効果に加えて、選択したパス数に応じて前方保護段数を変えるので、パス数が少ない場合には早く同期を確立することができ、パス数が多い場合には誤って同期確立と判定することを防ぐことができる。
【００８７】
なお、本実施の形態３は、上記実施の形態１及び実施の形態２に適用することが可能である。
【００８８】
（実施の形態４）
図７は、本実施の形態４に係る同期判定装置７００の構成を示す図である。
【００８９】
同期判定装置７００は、図１に示す実施の形態１に係る同期判定装置１００において、受信品質測定部７０１を追加し、しきい値設定部１０４の代わりにしきい値設定部７０２を有し、同期ずれ判定部１１０の代わりに同期ずれ判定部７０３を有する。なお、図７において、図１と同一構成である部分には同一の符号を付してその説明は省略する。
【００９０】
受信品質測定部７０１は、逆拡散部１０５から入力した受信信号より受信品質を示すＳＩＲ（Ｓｉｇｎａｌ  ｔｏ  Ｉｎｔｅｒｆｅｒｅｎｃｅ  Ｒａｔｉｏ）を測定してしきい値設定部７０２へ出力する。受信品質測定部７０１は、逆拡散部１０５で逆拡散されたパイロット信号を同相加算した値のパワの平均値Ｐ及び各パイロットシンボルのパワＰＬｎ（ｎは自然数）より前記パワの平均値Ｐを減算した値（ＰＬｎ−Ｐ）を求め、求めた（ＰＬｎ−Ｐ）を全て加算した値Ｎを求め、Ｐ／Ｎを求めることによりＳＩＲを算出することができる。なお、受信品質を示す測定値は、ＳＩＲに限らず、受信レベル及びＲＳＳＩ（Ｒｅｃｅｉｖｅｄ  Ｓｉｇｎａｌ  Ｓｔｒｅｎｇｔｈ  Ｉｎｄｉｃａｔｏｒ）等の任意の受信品質を示す測定値を用いることが可能である。
【００９１】
しきい値設定部７０２は、受信品質測定部７０１から入力したＳＩＲとしきい値（第２しきい値）とを比較することにより、ＳＩＲがしきい値以上である場合には後述する誤りビット数と比較するしきい値（同期判定用しきい値）を小さい値に設定し、ＳＩＲがしきい値未満である場合には誤りビット数と比較するしきい値を大きな値に設定する。そして、しきい値設定部７０２は、設定したしきい値情報を同期ずれ判定部７０３へ出力する。なお、しきい値の設定方法は、小さいしきい値と大きいしきい値との２種類のみを設定する場合に限らず、ＳＩＲが大きい程しきい値が小さくなるように、受信品質測定部７０１から入力した受信品質情報を用いてＳＩＲとしきい値との参照テーブルを参照することによりしきい値を設定するか、または受信品質測定部７０１から入力した受信品質情報を用いてＳＩＲとしきい値とを関係づけた計算式等により求めたしきい値を設定するようにしても良い。
【００９２】
同期ずれ判定部７０３は、誤りビット数検出部１０９から入力した誤りビット数としきい値設定部７０２から入力したしきい値情報とを比較することにより同期保持状態または同期はずれ状態を判定して、判定した結果を出力する。即ち、同期ずれ判定部７０３は、誤りビット数がしきい値以上の場合には同期はずれ状態と判定し、誤りビット数がしきい値未満の場合には同期保持状態と判定する。
【００９３】
次に、同期判定装置７００の動作について、図８を用いて説明する。
【００９４】
最初に、受信品質測定部７０１は、受信信号よりＳＩＲを測定する（ステップＳＴ８０１）。
【００９５】
次に、しきい値設定部７０２は、ＳＩＲがしきい値α以上であるか否かを判定する（ステップＳＴ８０２）。
【００９６】
ＳＩＲがしきい値α以上である場合は、しきい値β（例えば、誤り許容ビット数が１３）を設定する（ステップＳＴ８０３）。
【００９７】
一方、ＳＩＲがしきい値α未満である場合は、しきい値γ（例えば、誤り許容ビット数が１８）（ただし、β＜γとする。）を設定する（ステップＳＴ８０４）。
【００９８】
次に、しきい値βを設定した場合には、誤りビット数検出部１０９にて検出した誤りビット数がしきい値β以上であるか否かを判定し、しきい値γを設定した場合には、誤りビット数検出部１０９にて検出した誤りビット数がしきい値γ以上であるか否かを判定する（ステップＳＴ８０５）。
【００９９】
誤りビット数がしきい値β未満である場合または誤りビット数がしきい値γ未満である場合は、同期保持状態と判定する（ステップＳＴ８０６）。一方、誤りビット数がしきい値β以上である場合または誤りビット数がしきい値γ以上である場合は、同期はずれ状態と判定する（ステップＳＴ８０７）。
【０１００】
そして、同期判定装置７００は、各フレームについて、ステップＳＴ８０１〜ステップＳＴ８０７の処理を行う。
【０１０１】
このように、本実施の形態４によれば、受信品質が劣化している場合において、誤りビット数と比較するしきい値βは、有効パス数が少ない場合のしきい値γよりも小さい値に設定されることにより、誤りビット数が比較的小さい場合においても同期はずれ状態と判定するので、受信品質が劣化したことによりＲＡＫＥ合成した際に雑音を多く含むような場合等において、精度良く正確に同期保持状態であるか否かの判定を行うことにより誤同期となることを防止することができる。
【０１０２】
なお、本実施の形態４は、上記実施の形態１〜３に適用することが可能である。
【０１０３】
（実施の形態５）
図９は、本実施の形態５に係る同期判定装置９００の構成を示す図である。
【０１０４】
同期判定装置９００は、図１に示す実施の形態１に係る同期判定装置１００において、受信品質測定部９０１、後方保護段数設定部９０２及び後方保護部９０３を追加し、同期ずれ判定部１１０の代わりに同期ずれ判定部９０４を有する。なお、図９において、図１と同一構成である部分には同一の符号を付してその説明は省略する。
【０１０５】
受信品質測定部９０１は、逆拡散部１０５から入力した受信信号よりＳＩＲを測定して後方保護段数設定部９０２へ出力する。受信品質を示す測定値は、ＳＩＲに限らず、受信レベル及びＲＳＳＩ等の任意の受信品質を示す測定値を用いることが可能である。
【０１０６】
しきい値設定手段である後方保護段数設定部９０２は、受信品質測定部９０１から入力した受信品質情報より、後方保護段数を設定する。後方保護段数設定部９０２は、受信品質情報よりＳＩＲがしきい値（第２しきい値）以上の場合には小さい後方保護段数（第１同期判定用しきい値）を設定し、ＳＩＲがしきい値未満の場合には大きい後方保護段数を設定する。そして、後方保護段数設定部９０２は、設定した後方保護段数情報を後方保護部９０３へ出力する。なお、後方保護段数の設定方法は、小さい後方保護段数と大きい後方保護段数との２種類のみを設定する場合に限らず、ＳＩＲが受信品質が良好であることを示す程後方保護段数が小さくなるように、受信品質測定部９０１から入力した受信品質情報を用いてＳＩＲと後方保護段数との参照テーブルを参照することにより後方保護段数を設定するか、または受信品質測定部９０１から入力した受信品質情報を用いてＳＩＲと後方保護段数とを関係づけた計算式等により求めた後方保護段数を設定するようにしても良い。
【０１０７】
後方保護部９０３は、誤りビット数検出部１０９から入力した誤りビット数情報に基づいて、誤りビット数としきい値（第２同期判定用しきい値）とを比較し、比較結果に後方保護をかけることにより後方保護をクリアしたか否かの情報を同期ずれ判定部９０４へ出力する。即ち、後方保護部９０３は、誤りビット数が所定のしきい値未満である状態が連続して１０回起こった場合に後方保護をクリアした旨の情報を同期ずれ判定部９０４へ出力する。一方、後方保護部９０３は、誤りビット数が所定のしきい値未満である状態が連続して１０回未満の場合に後方保護をクリアしていない旨の情報を同期ずれ判定部９０４へ出力する。
【０１０８】
同期ずれ判定部９０４は、後方保護部９０３から後方保護をクリアした旨の情報が入力した場合には、同期保持状態との判定結果を出力し、後方保護をクリアしていない旨の情報が入力した場合には、同期はずれ状態の判定結果を出力する。
【０１０９】
次に、同期判定装置９００の動作について、図１０を用いて説明する。
【０１１０】
最初に、受信品質測定部９０１は、受信信号よりＳＩＲを測定する（ステップＳＴ１００１）。
【０１１１】
次に、後方保護段数設定部９０２は、ＳＩＲがしきい値α以上であるか否かを判定する（ステップＳＴ１００２）。
【０１１２】
ＳＩＲがしきい値α以上である場合は、後方保護段数β（例えば、８段）を設定する（ステップＳＴ１００３）。
【０１１３】
一方、ＳＩＲがしきい値α未満である場合は、後方保護段数γ（例えば、１０段）（ただし、β＜γとする。）を設定する（ステップＳＴ１００４）。
【０１１４】
次に、後方保護段数βを設定した場合には、後方保護部９０３は後方保護段数βをクリアしたか否かを判定し、後方保護段数γを設定した場合には、後方保護部９０３は後方保護段数γをクリアしたか否かを判定する（ステップＳＴ１００５）。
【０１１５】
後方保護段数をクリアした場合には、同期ずれ判定部９０４は、同期保持状態と判定する（ステップＳＴ１００６）。
【０１１６】
一方、後方保護段数をクリアしていない場合には、同期ずれ判定部９０４は、同期はずれ状態と判定する（ステップＳＴ１００７）。
【０１１７】
そして、同期判定装置９００は、各フレームについて、ステップＳＴ１００１〜ステップＳＴ１００７の処理を行う。
【０１１８】
このように、本実施の形態５によれば、上記実施の形態４の効果に加えて、ＳＩＲに応じて後方保護段数を変えるので、ＳＩＲが大きくて受信品質が良好な場合には早く同期を確立することができ、ＳＩＲが小さくて受信品質が劣化している場合には誤って同期確立と判定することを防ぐことができる。
【０１１９】
なお、本実施の形態５は、上記実施の形態１〜４に適用することが可能である。
【０１２０】
（実施の形態６）
図１１は、本実施の形態６に係る同期判定装置１１００の構成を示す図である。
【０１２１】
同期判定装置１１００は、図１に示す実施の形態１に係る同期判定装置１００において、受信品質測定部１１０１、前方保護段数設定部１１０２及び前方保護部１１０３を追加し、同期ずれ判定部１１０の代わりに同期ずれ判定部１１０４を有する。なお、図１１において、図１と同一構成である部分には同一の符号を付してその説明は省略する。
【０１２２】
受信品質測定部１１０１は、逆拡散部１０５から入力した受信信号よりＳＩＲを測定して前方保護段数設定部１１０２へ出力する。なお、受信品質を示す測定値は、ＳＩＲに限らず、受信レベル及びＲＳＳＩ等の任意の受信品質を示す測定値を用いることが可能である。
【０１２３】
しきい値設定手段である前方保護段数設定部１１０２は、受信品質測定部１１０１から入力した受信品質情報より、前方保護段数を設定する。前方保護段数設定部１１０２は、受信品質情報よりＳＩＲがしきい値（第２しきい値）以上の場合には大きい前方保護段数（第１同期判定用しきい値）を設定し、ＳＩＲがしきい値未満の場合には小さい前方保護段数を設定する。そして、前方保護段数設定部１１０２は、設定した前方保護段数情報を前方保護部１１０３へ出力する。なお、前方保護段数の設定方法は、小さい前方保護段数と大きい前方保護段数との２種類のみを設定する場合に限らず、ＳＩＲが受信品質が良好であることを示す程前方保護段数が小さくなるように、受信品質測定部１１０１から入力した受信品質情報を用いてＳＩＲと後方保護段数との参照テーブルを参照することにより前方保護段数を設定するか、または受信品質測定部１１０１から入力した受信品質情報を用いてＳＩＲと前方保護段数とを関係づけた計算式等により求めた前方保護段数を設定するようにしても良い。
【０１２４】
前方保護部１１０３は、誤りビット数検出部１０９から入力した誤りビット数情報に基づいて、誤りビット数としきい値（第２同期判定用しきい値）とを比較し、比較結果に前方保護をかけることにより前方保護をクリアしたか否かの情報を同期ずれ判定部１１０４へ出力する。即ち、前方保護部１１０３は、誤りビット数が所定のしきい値以上である状態が連続して１０回起こった場合に前方保護をクリアした旨の情報を同期ずれ判定部１１０４へ出力する。一方、前方保護部１１０３は、誤りビット数が所定のしきい値以上である状態が連続して１０回未満の場合に前方保護をクリアしていない旨の情報を同期ずれ判定部１１０４へ出力する。
【０１２５】
同期ずれ判定部１１０４は、前方保護部１１０３より前方保護をクリアした旨の情報が入力した場合には、同期はずれ状態の判定結果を出力し、前方保護部１１０３より前方保護をクリアしていない旨の情報が入力した場合には、同期保持状態の判定結果を出力する。
【０１２６】
次に、同期判定装置１１００の動作について、図１２を用いて説明する。
【０１２７】
最初に、受信品質測定部１１０１は、受信信号よりＳＩＲを測定する（ステップＳＴ１２０１）。
【０１２８】
次に、前方保護段数設定部１１０２は、ＳＩＲがしきい値α以上であるか否かを判定する（ステップＳＴ１２０２）。
【０１２９】
ＳＩＲがしきい値α以上である場合は、前方保護段数β（例えば、１０段）を設定する（ステップＳＴ１２０３）。
【０１３０】
一方、ＳＩＲがしきい値α未満である場合は、前方保護段数γ（例えば、８段）（ただし、β＞γとする。）を設定する（ステップＳＴ１２０４）。
【０１３１】
次に、しきい値βを設定した場合には、前方保護部１１０３は前方保護段数βをクリアしたか否かを判定し、しきい値γを設定した場合には、前方保護部１１０３は前方保護段数γをクリアしたか否かを判定する（ステップＳＴ１２０５）。
【０１３２】
前方保護段数をクリアしている場合には、同期ずれ判定部１１０４は同期はずれ状態と判定する（ステップＳＴ１２０６）。
【０１３３】
一方、前方保護段数をクリアしていない場合には、同期ずれ判定部１１０４は同期保持状態と判定する（ステップＳＴ１２０７）。
【０１３４】
そして、同期判定装置１１００は、各フレームについて、ステップＳＴ１２０１〜ステップＳＴ１２０７の処理を行う。
【０１３５】
このように、本実施の形態６によれば、上記実施の形態４の効果に加えて、誤りビット数がしきい値以上になる連続回数が同期判定用のしきい値以上の場合に、同期はずれ状態と判定する前方保護を用いるので、例えば瞬間的に雑音が発生した場合であって同期保持状態と判定しても良い場合に同期はずれ状態と誤判定してしまうことを防止することができて同期確立の処理を高速にすることができる。
【０１３６】
なお、本実施の形態６は、上記実施の形態１〜５に適用することが可能である。
【０１３７】
（実施の形態７）
図１３は、本実施の形態７に係る同期判定装置１３００の構成を示す図である。同期判定装置１３００は、図１に示す実施の形態１に係る同期判定装置１００において、しきい値設定部１０４の代わりに係数設定部１３０１を有する。なお、図１３において、図１と同一構成である部分には同一の符号を付してその説明は省略する。
【０１３８】
パス選択部１０３は、マッチドフィルタ１０２から入力した遅延プロファイルから有効なパス位相を判定して有効なパスを選択し、選択した有効パス情報を逆拡散部１０５へ出力する。パス選択部１０３は、遅延プロファイルのピーク値（受信レベル）がパス選択用のしきい値以上であるパスを有効なパスとして選択する。パス選択部１０３は、係数設定部１３０１から指示された同期はずれ状態の場合のパス選択用の係数または同期保持状態の場合のパス選択用の係数のいずれか一方の係数と遅延プロファイルの受信レベルの平均値とを乗算して、パス選択用のしきい値を設定する。同期はずれ状態の場合のパス選択用の係数は、同期保持状態の場合のパス選択用の係数よりも大きい値であるため、同期はずれ状態の場合のパス選択用のしきい値は、同期保持状態の場合のパス選択用のしきい値よりも大きい値になり、同期はずれ状態の場合には選択されるパス数を少なくすることができる。
【０１３９】
しきい値設定手段である係数設定部１３０１は、同期ずれ判定部１１０から同期はずれ状態の情報が入力した場合には、パス選択部１０３に対して同期はずれ状態の場合の係数を出力し、同期ずれ判定部１１０から同期保持状態の情報が入力した場合には、パス選択部１０３に対して同期保持状態の場合の係数を出力する。
【０１４０】
同期ずれ判定部１１０は、誤りビット数検出部１０９から入力した誤りビット数と同期判定用のしきい値とを比較することにより同期保持状態と同期はずれ状態を判定して、判定した結果を同期判定結果として出力するとともに係数設定部１３０１へ出力する。即ち、同期ずれ判定部１１０は、誤りビット数が同期判定用のしきい値以上の場合には同期はずれ状態と判定し、誤りビット数が同期判定用のしきい値未満の場合には同期保持状態と判定する。
【０１４１】
次に、同期判定装置１３００の動作について、図１４を用いて説明する。
【０１４２】
最初に、マッチドフィルタ１０２は受信信号より遅延プロファイルを作成する（ステップＳＴ１４０１）。
【０１４３】
次に、パス選択部１０３は、所定の値に設定したパス選択用のしきい値と遅延プロファイルとを比較して、パス選択用のしきい値以上であるピーク値を有効パスとして選択する（ステップＳＴ１４０２）。
【０１４４】
次に、誤りビット数検出部１０９は、誤りビット数を検出する（ステップＳＴ１４０３）。
【０１４５】
次に、同期ずれ判定部１１０は、誤りビット数と同期判定用のしきい値とを比較して、誤りビット数が同期判定用しきい値未満（同期保持状態）であるか否かを判定する（ステップＳＴ１４０４）。
【０１４６】
次に、同期ずれ判定部１１０は、同期保持状態であると判定した場合には、同期保持状態の情報を係数設定部１３０１へ出力し、係数設定部１３０１は同期保持状態の場合の係数をパス選択部１０３へ出力し、パス選択部１０３は同期保持状態の場合の係数と遅延プロファイルの受信レベルの平均値とを乗算して、パス選択用しきい値αを設定する（ステップＳＴ１４０５）。
【０１４７】
一方、同期ずれ判定部１１０は、同期保持状態でないと判定した場合には、同期はずれ状態の情報を係数設定部１３０１へ出力し、係数設定部１３０１は同期はずれ状態の場合の係数をパス選択部１０３へ出力し、パス選択部１０３は同期はずれ状態の場合の係数と遅延プロファイルの受信レベルの平均値とを乗算して、パス選択用のしきい値β（α＜β）を設定する（ステップＳＴ１４０６）。なお、遅延プロファイルの受信レベルは伝搬環境によって変動するため、パス選択部１０３にて設定されるパス選択用のしきい値α、βも伝搬環境によって変化する。
【０１４８】
次に、図示しない制御部は通信が終了するか否かを判定して（ステップＳＴ１４０７）、通信を終了しない場合にはステップＳＴ１４０１からステップＳＴ１４０６までの処理を繰り返す。
【０１４９】
このように、本実施の形態７によれば、上記実施の形態１の効果に加えて、同期はずれ状態と判定された場合には、遅延プロファイルと比較するパス選択用のしきい値を、同期保持状態と判定された場合に比べて大きな値に設定するので、同期はずれ状態の際には選択されるパス数を少なくすることができるために誤りビット数を多くすることができ、誤同期となることを防止することができる。
【０１５０】
なお、本実施の形態７においては、係数設定部１３０１はパス選択部１０３にてしきい値を設定するための係数を出力することとしたが、これに限らず、係数設定部１３０１は同期ずれ判定部１１０において誤りビット数と比較するしきい値も設定するようにしても良いし、さらに後方保護部または前方保護部を設けて係数設定部１３０１が後方保護段数または前方保護段数を設定するようにしても良い。また、本実施の形態７においては、係数設定部１３０１は、受信品質を示す測定値としきい値との比較結果に応じて誤りビット数と比較するしきい値を可変設定しても良い。また、本実施の形態７は、上記実施の形態１〜６に適用することが可能である。
【０１５１】
上記実施の形態１〜７の同期判定装置は、受信装置、無線装置、基地局装置及び通信端末装置に適用することが可能である。
【０１５２】
【発明の効果】
以上説明したように、本発明によれば、精度良く正確に同期保持状態であるか否かの判定を行うことにより誤同期となることを防止することができる。
【図面の簡単な説明】
【図１】本発明の実施の形態１に係る同期判定装置の構成を示すブロック図
【図２】本発明の実施の形態１に係る同期判定装置の動作を示すフロー図
【図３】本発明の実施の形態２に係る同期判定装置の構成を示すブロック図
【図４】本発明の実施の形態２に係る同期判定装置の動作を示すフロー図
【図５】本発明の実施の形態３に係る同期判定装置の構成を示すブロック図
【図６】本発明の実施の形態３に係る同期判定装置の動作を示すフロー図
【図７】本発明の実施の形態４に係る同期判定装置の構成を示すブロック図
【図８】本発明の実施の形態４に係る同期判定装置の動作を示すフロー図
【図９】本発明の実施の形態５に係る同期判定装置の構成を示すブロック図
【図１０】本発明の実施の形態５に係る同期判定装置の動作を示すフロー図
【図１１】本発明の実施の形態６に係る同期判定装置の構成を示すブロック図
【図１２】本発明の実施の形態６に係る同期判定装置の動作を示すフロー図
【図１３】本発明の実施の形態７に係る同期判定装置の構成を示すブロック図
【図１４】本発明の実施の形態７に係る同期判定装置の動作を示すフロー図
【図１５】従来において雑音のみを受信したときの受信パイロット信号の相関値変動を示すグラフ
【符号の説明】
１００  同期判定装置
１０２  マッチドフィルタ
１０３  パス選択部
１０４  しきい値設定部
１０５  逆拡散部
１０６  チャネル推定部
１０７  同期検波部
１０８  ＲＡＫＥ合成部
１０９  誤りビット数検出部
１１０  同期ずれ判定部
【図１】
2004328396.tif 000003
【図２】
2004328396.tif 000004
【図３】
2004328396.tif 000005
【図４】
2004328396.tif 000006
【図５】
2004328396.tif 000007
【図６】
2004328396.tif 000008
【図７】
2004328396.tif 000009
【図８】
2004328396.tif 000010
【図９】
2004328396.tif 000011
【図１０】
2004328396.tif 000012
【図１１】
2004328396.tif 000013
【図１２】
2004328396.tif 000014
【図１３】
2004328396.tif 000015
【図１４】
2004328396.tif 000016
【図１５】
2004328396.tif 000017